(57)【要約】【課題】  マルチパスフェージングの影響によって同期用シンボルの受信電力が低減した場合であってもフレーム同期タイミングが大きく外れることを防ぐと共に、系統毎の異なる伝搬環境に起因するシンボル間干渉を防ぐ。【解決手段】  本発明の一態様としての無線受信装置は、各々受信部と、相関処理部と、ＦＦＴ部と、ＦＦＴ処理タイミング検出部とを有する複数の受信系統と、各相関処理部による相関値を合成する合成部と、合成された相関値に基づいて各受信系統に共通のフレーム同期タイミングを検出する検出部と、各ＦＦＴ部の出力信号を用いて復調を行う復調部とを備え、前記ＦＦＴ処理タイミング検出部は、相関処理部によって計算された相関値から最先着波を検出可能な場合は最先着波に対応する相関値からＦＦＴ処理タイミングを検出し検出可能でない場合はフレーム同期タイミングからＦＦＴ処理タイミングを検出する。【選択図】  図１
2007013627.tif 000002
【特許請求の範囲】
【請求項１】
無線信号を受信する受信部と、
前記受信部によって受信された無線信号に含まれる同期用シンボルパターンと、あらかじめ指定されたシンボルパターンとの間で相関処理を行って相関値を算出する相関処理部と、
前記受信部によって受信された無線信号を、指定されたＦＦＴ（Fast Fourier Transform）処理タイミングに基づきＦＦＴ処理するＦＦＴ部と、
前記ＦＦＴ部に対するＦＦＴ処理タイミングを検出するＦＦＴ処理タイミング検出部と、を有する複数の受信系統と、
各前記相関処理部によって計算された相関値を合成する相関値合成部と、
前記相関値合成部で合成された相関値に基づいて、各前記受信系統に共通のフレーム同期タイミングを検出するフレーム同期タイミング検出部と、
各前記ＦＦＴ部によってＦＦＴ処理された無線信号を用いて復調処理を行う復調部と、を備え、
各前記ＦＦＴ処理タイミング検出部は、各々対応する前記相関処理部によって計算された相関値から対応する前記受信部における最先着波を検出可能な場合は前記最先着波に対応する相関値からＦＦＴ処理タイミングを検出し、前記最先着波を検出可能でない場合は前記フレーム同期タイミングから前記ＦＦＴ処理タイミングを検出し、検出した前記ＦＦＴ処理タイミングを前記ＦＦＴ部に指定する、
ことを特徴とする無線通信装置。
【請求項２】
無線信号を受信する受信部と、
前記受信部によって受信された無線信号に含まれる同期用シンボルパターンと、あらかじめ指定されたシンボルパターンとの間で相関処理を行って相関値を算出する相関処理部と、
前記受信部によって受信された無線信号を、指定されたＦＦＴ（Fast Fourier Transform）処理タイミングに基づきＦＦＴ処理するＦＦＴ部と、
前記ＦＦＴ部に対するＦＦＴ処理タイミングを検出するＦＦＴ処理タイミング検出部と、を有する複数の受信系統と、
前記相関処理部ごとに相関値の平均値を計算し、各平均値の大きさを比較する大小比較部と、
平均値が最も大きい受信系統を選択する相関値選択部と、
選択された受信系統の相関値から各前記受信系統に共通のフレーム同期タイミングを検出するフレーム同期タイミング検出部と、
各前記ＦＦＴ部によってＦＦＴ処理された無線信号を用いて復調処理を行う復調部とを備え、
各前記ＦＦＴ処理タイミング検出部は、各々対応する前記相関処理部によって計算された相関値から対応する前記受信部における最先着波を検出可能な場合は前記最先着波に対応する相関値からＦＦＴ処理タイミングを検出し、前記最先着波を検出可能でない場合は前記フレーム同期タイミングから前記ＦＦＴ処理タイミングを検出し、検出した前記ＦＦＴ処理タイミングを前記ＦＦＴ部に指定する、
ことを特徴とする無線通信装置。
【請求項３】
無線信号を受信する受信部と、
前記無線信号の受信電力を測定する受信電力測定部と、
前記受信部の最低受信感度と、測定された前記受信電力とから実効受信レベルを測定する実効受信レベル測定部と、
前記受信部によって受信された無線信号に含まれる同期用シンボルパターンと、あらかじめ指定されたシンボルパターンとの間で相関処理を行って相関値を算出する相関処理部と、
前記受信部によって受信された無線信号を、指定されたＦＦＴ（Fast Fourier Transform）処理タイミングに基づきＦＦＴ処理するＦＦＴ部と、
前記ＦＦＴ部に対するＦＦＴ処理タイミングを検出するＦＦＴ処理タイミング検出部と、を有する複数の受信系統と、
各前記実効受信レベル測定部によって測定された実効受信レベルの大きさを比較し、最も大きい実効受信レベルをもつ受信系統を選択する大小比較部と、
各前記相関処理部によって計算された相関値のうち、前記大小比較部によって選択された受信系統のものを選択する相関値選択部と、
選択された前記相関値から各前記受信系統に共通のフレーム同期タイミングを検出するフレーム同期タイミング検出部と、
各前記ＦＦＴ部によってＦＦＴ処理された無線信号を用いて復調処理を行う復調部と、を備え、
各前記ＦＦＴ処理タイミング検出部は、各々対応する前記相関処理部によって計算された相関値から対応する前記受信部における最先着波を検出可能な場合は前記最先着波に対応する相関値からＦＦＴ処理タイミングを検出し、前記最先着波を検出可能でない場合は前記フレーム同期タイミングから前記ＦＦＴ処理タイミングを検出し、検出した前記ＦＦＴ処理タイミングを前記ＦＦＴ部に指定する、
ことを特徴とする無線通信装置。
【請求項４】
各前記受信系統は各々Ａ／Ｄ変換部を備え、各前記相関処理部および各前記ＦＦＴ部は、対応する前記Ａ／Ｄ変換部によってＡ／Ｄ変換された無線信号を扱うことを特徴とする請求項１ないし３のいずれかに記載の無線通信装置。
【請求項５】
各前記相関処理部は、前記あらかじめ指定されたシンボルパターンとして、あらかじめ与えられた既知シンボルパターン、または、前記無線信号に含まれる他の同期用シンボルパターンを用いることを特徴とする請求項１ないし４のいずれかに記載の無線通信装置。
【請求項６】
各前記ＦＦＴ処理タイミング検出部は、対応する前記相関処理部から連続して算出される相関値同士の差分を計算し、差分が所定の閾値を越えた場合は、時間的に後の相関値を、前記最先着波に対応する相関値とすることを特徴とする請求項１ないし５のいずれかに記載の無線通信装置。
【請求項７】
前記相関値合成部は、前記合成された相関値が最大となるタイミング、または、合成された相関値が所定の閾値以下となるタイミングから、前記フレーム同期タイミングを検出することを特徴とする請求項１ないし６のいずれかに記載の無線通信装置。
【請求項８】
前記復調部は、各前記ＦＦＴ処理された無線信号を用いて、ＭＩＭＯ信号処理または合成処理を行い、前記ＭＩＭＯ信号処理後の信号または前記合成処理後の信号を復調することを特徴とする請求項１ないし７のいずれかに記載の無線通信装置。
【請求項９】
前記無線信号は、ＯＦＤＭ変調された無線信号であることを特徴とする請求項１ないし８のいずれかに記載の無線通信装置。
【発明の詳細な説明】
【技術分野】
【０００１】
本発明は、複数アンテナを持つ無線通信装置およびフレーム同期タイミング検出方式に関し、特にＯＦＤＭ通信方式の受信装置に関する。
【背景技術】
【０００２】
従来、例えば特許文献１のように、複数の受信系統を持つＯＦＤＭ受信装置では、受信系統毎に受信信号の受信電力レベルを測定し、最も大きな受信電力レベルをもつ受信信号の同期用シンボルを用いて、全系統で共通のフレーム同期タイミングを決定していた。
【０００３】
また、特許文献２のように、複数の受信系統毎にそれぞれの系統で受信した同期用シンボルを用いて各系統別のフレーム同期タイミングを決定し、または各系統の受信信号を合成した信号を用いて全系統に共通のフレーム同期タイミングを決定するＯＦＤＭ受信装置があった。
【特許文献１】特開２００３−１４３１０５公報
【特許文献２】特開２００４−１８０３１３公報
【発明の開示】
【発明が解決しようとする課題】
【０００４】
このように従来における複数の受信系統を持ったＯＦＤＭ受信装置においては、例えば受信電力が大きい受信信号を選択又は全受信信号を合成する。これにより良好な受信品質の同期用シンボルを得ることができ、この同期用シンボルを用いて全系統に共通のフレーム同期タイミングを検出する。
【０００５】
しかしながら実際の伝搬環境においては、受信系統毎に遅延波の大きさや数、到来時間が異なる。そのため、共通のフレーム同期タイミングをもとに共通のＦＦＴ処理をする同期位置(ＦＦＴ窓位置)を決定した場合、いくつかの受信系統においてはシンボル間干渉が生じてしまう問題があった。
【０００６】
また、上述した、受信系統ごとに受信した同期用シンボルを用いて受信系統毎に個別にフレーム同期タイミングを検出する方式の場合、受信系統によってはマルチパスフェージングの影響により同期用シンボルの受信電力が劣化し、正しくフレーム同期タイミングを検出できない問題がある。以下、これについて図９および図１０を用いて詳細に説明する。
【０００７】
図９および図１０は、１６サンプル周期の同期用シンボルにより受信処理を行うＯＦＤＭ受信装置のフレーム同期タイミング分布を示す。図９および図１０は、ＯＦＤＭ信号のガードインターバル長と同程度の期間、遅延波が到来してくる伝搬路モデルにおいて、２０００回フレーム同期タイミングを獲得する計算機シミュレーションを本発明者らが行った結果である。
【０００８】
０サンプルが理想的な同期タイミングであるが図９のように同期用シンボルの受信電力が小さい場合には、同期用シンボルの周期分同期タイミングがずれてしまうような大きなフレーム同期誤りが生じる。一方図１０のように受信電力が大きい場合には、理想的な同期タイミング周辺で同期タイミングを獲得していることがわかる。フレーム同期タイミングが大きく誤ってしまうと、ＦＦＴ窓位置を正しく決定できないため、同期用シンボルに続く情報フレームを正しく受信できない。
【０００９】
本発明は、上記の問題を解決するためになされたものであり、マルチパスフェージングの影響により同期用シンボルの受信電力が低減した場合であってもフレーム同期タイミングが大きく外れることを防ぐと共に、受信系統毎の異なる伝搬環境に起因するシンボル間干渉を防ぐようにした無線受信装置を提供することを目的とする。
【課題を解決するための手段】
【００１０】
本発明の一態様としての無線受信装置は、無線信号を受信する受信部と、前記受信部によって受信された無線信号に含まれる同期用シンボルパターンと、あらかじめ指定されたシンボルパターンとの間で相関処理を行って相関値を算出する相関処理部と、前記受信部によって受信された無線信号を、指定されたＦＦＴ（Fast Fourier Transform）処理タイミングに基づきＦＦＴ処理するＦＦＴ部と、前記ＦＦＴ部に対するＦＦＴ処理タイミングを検出するＦＦＴ処理タイミング検出部と、を有する複数の受信系統と、各前記相関処理部によって計算された相関値を合成する相関値合成部と、前記相関値合成部で合成された相関値に基づいて、各前記受信系統に共通のフレーム同期タイミングを検出するフレーム同期タイミング検出部と、各前記ＦＦＴ部によってＦＦＴ処理された無線信号を用いて復調処理を行う復調部と、を備え、各前記ＦＦＴ処理タイミング検出部は、各々対応する前記相関処理部によって計算された相関値から対応する前記受信部における最先着波を検出可能な場合は前記最先着波に対応する相関値からＦＦＴ処理タイミングを検出し、前記最先着波を検出可能でない場合は前記フレーム同期タイミングから前記ＦＦＴ処理タイミングを検出し、検出した前記ＦＦＴ処理タイミングを前記ＦＦＴ部に指定する、ことを特徴とする。
【００１１】
本発明の一態様としての無線受信装置は、無線信号を受信する受信部と、前記受信部によって受信された無線信号に含まれる同期用シンボルパターンと、あらかじめ指定されたシンボルパターンとの間で相関処理を行って相関値を算出する相関処理部と、前記受信部によって受信された無線信号を、指定されたＦＦＴ（Fast Fourier Transform）処理タイミングに基づきＦＦＴ処理するＦＦＴ部と、前記ＦＦＴ部に対するＦＦＴ処理タイミングを検出するＦＦＴ処理タイミング検出部と、を有する複数の受信系統と、前記相関処理部ごとに相関値の平均値を計算し、各平均値の大きさを比較する大小比較部と、平均値が最も大きい受信系統を選択する相関値選択部と、選択された受信系統の相関値から各前記受信系統に共通のフレーム同期タイミングを検出するフレーム同期タイミング検出部と、各前記ＦＦＴ部によってＦＦＴ処理された無線信号を用いて復調処理を行う復調部とを備え、  各前記ＦＦＴ処理タイミング検出部は、各々対応する前記相関処理部によって計算された相関値から対応する前記受信部における最先着波を検出可能な場合は前記最先着波に対応する相関値からＦＦＴ処理タイミングを検出し、前記最先着波を検出可能でない場合は前記フレーム同期タイミングから前記ＦＦＴ処理タイミングを検出し、検出した前記ＦＦＴ処理タイミングを前記ＦＦＴ部に指定する、ことを特徴とする。
【００１２】
本発明の一態様としての無線受信装置は、無線信号を受信する受信部と、前記無線信号の受信電力を測定する受信電力測定部と、前記受信部の最低受信感度と、測定された前記受信電力とから実効受信レベルを測定する実効受信レベル測定部と、前記受信部によって受信された無線信号に含まれる同期用シンボルパターンと、あらかじめ指定されたシンボルパターンとの間で相関処理を行って相関値を算出する相関処理部と、前記受信部によって受信された無線信号を、指定されたＦＦＴ（Fast Fourier Transform）処理タイミングに基づきＦＦＴ処理するＦＦＴ部と、前記ＦＦＴ部に対するＦＦＴ処理タイミングを検出するＦＦＴ処理タイミング検出部と、を有する複数の受信系統と、各前記実効受信レベル測定部によって測定された実効受信レベルの大きさを比較し、最も大きい実効受信レベルをもつ受信系統を選択する大小比較部と、各前記相関処理部によって計算された相関値のうち、前記大小比較部によって選択された受信系統のものを選択する相関値選択部と、選択された前記相関値から各前記受信系統に共通のフレーム同期タイミングを検出するフレーム同期タイミング検出部と、各前記ＦＦＴ部によってＦＦＴ処理された無線信号を用いて復調処理を行う復調部と、を備え、各前記ＦＦＴ処理タイミング検出部は、各々対応する前記相関処理部によって計算された相関値から対応する前記受信部における最先着波を検出可能な場合は前記最先着波に対応する相関値からＦＦＴ処理タイミングを検出し、前記最先着波を検出可能でない場合は前記フレーム同期タイミングから前記ＦＦＴ処理タイミングを検出し、検出した前記ＦＦＴ処理タイミングを前記ＦＦＴ部に指定する、ことを特徴とする。
【発明の効果】
【００１３】
本発明により、マルチパスフェージングの影響によって同期用シンボルの受信電力が低減した場合であってもフレーム同期タイミングが大きく外れることを防止できると共に、系統毎の異なる伝搬環境に起因するシンボル間干渉を防ぐことができる。
【発明を実施するための最良の形態】
【００１４】
以下、図面を参照しながら本実施の形態について詳細に説明する。
【００１５】
図１は、本発明の第１の実施形態に係わる無線通信装置の構成を示すものである。なお、以下では、本発明に係わる受信系統についてのみ説明するが、上記無線通信装置は送信系統の構成も備える。
【００１６】
上記無線通信装置は、ｎ個（ｎは少なくとも２以上）の受信系統を備えるものである。各受信系統は、それぞれアンテナ１０ｋ、ＲＦ部１１ｋ、Ａ／Ｄ変換部１２ｋ、相関処理部（マッチドフィルタ）１３ｋ、ＦＦＴ（Fast Fourier Transform）窓位置検出部１４ｋおよびＦＦＴ部１５ｋを備える（ただし、ｋは１〜ｎ）。そのほかに上記無線通信装置は、相関値合成部１６１と、フレーム同期タイミング検出部１７１と、復調部１８１とを備える。
【００１７】
アンテナ１０１〜１０ｎは、それぞれ、通信相手から送信されるＯＦＤＭ（Orthogonal Frequency Division Multiplexing）方式で変調された無線信号を受信し、対応するＲＦ部１１ｋに出力する。ここでアンテナ１０１〜１０ｎは、それぞれ異なるフェージングを受けた無線信号を受信することになる。このため、アンテナ１０１〜１０ｎにて受信される無線信号の受信タイミングは必ずしも同時ではない。
【００１８】
ＲＦ部１１１〜１１ｎは、それぞれ対応するアンテナ１０ｋから入力される無線信号をベースバンド信号に周波数変換して対応するＡ／Ｄ変換部１２ｋへ出力する。この際、ＲＦ部１１１〜１１ｎは、対応するＡ／Ｄ変換部１２ｋが持つダイナミックレンジにマッチするようベースバンド信号の振幅を調整し、さらに異なる帯域からの干渉成分を除去した後、Ａ／Ｄ変換部１２ｋへ出力する。
【００１９】
Ａ／Ｄ変換部１２１〜１２ｎでは、対応するＲＦ部１１ｋから入力されたベースバンド信号をＡ／Ｄ変換し、それぞれ対応する相関処理部１３ｋ、およびＦＦＴ変換を行うＦＦＴ部１５ｋに出力する。
【００２０】
相関処理部１３１〜１３ｎは、ベースバンド信号（Ａ／Ｄ変換出力）に含まれ一定期間繰り返される同期用既知シンボルのシンボルパターンと、当該無線通信装置が予め保持する既知シンボルパターンとの相関値（以降、この相関値を相互相関値とする）を算出する。または、相関処理部１３１〜１３ｎは、受信信号に含まれる同期用既知シンボルと、１シンボル周期分遅延させた同期用既知シンボルとの相関値（以降、この相関値を自己相関値とする）を算出する。また、装置によっては相互相関値、自己相関値の双方を算出する。相関処理部１３１〜１３ｎは、算出した相関値を対応するＦＦＴ窓位置検出部１４ｋおよび相関値合成部１６１に出力する。
【００２１】
相関値合成部１６１は各相関処理部１３１〜１３ｎで算出された相関値を合成し（例えば合計する）、合成された相関値をフレーム同期タイミング検出部１７１に出力する。各系統の相関値を合成することによって、フレーム同期タイミング検出処理に用いる相関値のＳＮＲ（Signal to Noise Ratio）を高めることができる。
【００２２】
フレーム同期タイミング検出部１７１では、相関値合成部１６１から入力される合成された相関値に基づいて、各受信系統に共通のフレーム同期タイミングを検出する。その具体的な検出方法としては、合成された相互相関値の最大相関値（ピーク）を得るタイミングを検出する方法や、合成された自己相関値が閾値以下となるタイミングからシンボル同期タイミングを検出する方法、あるいはこれらの方法を組み合わせた方法などが用いられる。フレーム同期タイミング検出部１７１によって検出されたフレーム同期タイミングは、ＦＦＴ窓位置検出部１４１〜１４ｎに出力される。
【００２３】
ＦＦＴ窓位置検出部１４１〜１４ｎはそれぞれ対応する相関処理部１３ｋより入力される相関値およびフレーム同期タイミング検出部１７１から入力されるフレーム同期タイミングを用いて、対応するＦＦＴ部１５ｋにおいてＦＦＴ処理を開始するサンプル位置であるＦＦＴ窓位置を各々独立に検出し、対応するＦＦＴ部１５ｋに出力する。
【００２４】
より詳細には、ＦＦＴ窓位置検出部１４１〜１４ｎは、対応するアンテナ１０ｋにおける最先着波を検出可能な場合は、最先着波におけるＧＩフレームの末尾またはこれよりわずかに手前（異なる帯域からの干渉成分を除去するためのフィルタリングによる、隣接シンボル間干渉を受けない程度）をＦＦＴ窓位置とする。一方、ＦＦＴ窓位置検出部１４１〜１４ｎは、最先着波を検出可能でない場合は、フレーム同期タイミング検出部１７１により検出されたフレーム同期タイミングに基づきＦＦＴ窓位置を決定する。
【００２５】
最先着波を検出可能か否かについては、各受信系統の受信ＳＮＲで判断する。受信ＳＮＲは、各ＦＦＴ窓位置検出部１４１〜１４ｎに対応する相関値処理部１３１〜１３ｎにおいて得られる相関値より推定する。例えば、遅延自己相関器により求められる自己相関値の、同期用既知シンボル受信時に得られるピーク値の分散を計算し、分散が大きい場合にはＳＮＲが小さいと推定し、逆に分散が小さな場合にはＳＮＲが大きいと推定する。他にも、連続する同期用既知シンボルの相互相関値の差分値が大きな場合にはＳＮＲが小さいと推定し、逆に小さな場合にはＳＮＲが大きいと推定する方法もある。また閾値は、このようにして推定できるＳＮＲに対しＦＦＴ窓位置が適切に検出できるＳＮＲと設定する。
【００２６】
以下、ＦＦＴ窓位置検出部１４１〜１４ｎについてさらに詳細に説明する。
【００２７】
図４は、最先着波からＦＦＴ窓位置を検出する例を説明する図である。
【００２８】
図４において、ある受信系統において受信されたフレーム（最先着波、遅延波）が示される。最先着波のフレームおよび遅延波のフレームの高さ（縦の長さ）はそれぞれ受信電力の大きさを表す。
【００２９】
ＦＦＴ窓位置検出部１４１〜１４ｎは、最先着波が検出可能な場合は、最先着波のデータフレーム先頭をＦＦＴ窓位置とする。ただし、完全に最先着波のデータフレーム先頭をＦＦＴ窓位置にしてしまうと、わずかな同期検出位置の誤差により後方にＦＦＴ窓位置がずれた場合、シンボル間干渉が発生してしまい特性が劣化する可能性がある。よって、最先着波のＧＩフレームの末尾またはこれよりわずかに手前（所定長前）をＦＦＴ窓位置とする。これによりシンボル間干渉を有効に抑えたＦＦＴ処理が可能となる。
【００３０】
これに対し、例えば各受信系統に共通のフレーム同期タイミングを検出し、このフレーム同期タイミングに基づいてＦＦＴ窓位置を決定すると、シンボル間干渉が生じることがある。例えば、各受信系統の到来波のうち、最先着波の受信電力が全受信波中で最も大きく、最先着波の受信タイミングから共通のフレーム同期タイミングが検出されたとする。一般にＯＦＤＭ通信の場合、検出された共通のフレーム同期タイミングからマルチパス対策用フレームであるガードインターバルフレーム（以後、ＧＩフレーム）長の半分手前の位置（ここでは図示の最先着波のＧＩフレームの中央）をＦＦＴ窓位置とする場合が多い。しかし、その場合には特に遅延時間が大きい到来波が到来する伝搬路では、図示のように、遅延波の隣接シンボルよりシンボル間干渉Iが生じることとなる。このため、最先着波が検出可能な受信系統では、本実施の形態のように、最先着波のＧＩフレームの末尾またはこれよりわずかに手前をＦＦＴ窓位置とする。最先着波のＧＩフレームの末尾またはこれよりわずかに手前をＦＦＴ窓位置とするためには最先着波を検出しなければならない。
【００３１】
図６は、最先着波の検出方法を説明するための図である。
【００３２】
ＦＦＴ窓位置検出部１４１〜１４ｎは、対応する相関処理部１３ｋより入力される相関値を用いて、最先着波の検出を行う。例えば、隣接サンプル間の相互相関値の差分値を用いて最先着波の検出を行う。図６は相関処理部１３ｉ（ただしｉは１〜ｎのいずれか）で算出される相互相関値（上段）および、その相互相関値の隣接サンプル間の差分値（下段）を表している。サンプルの時間間隔はＡ／Ｄ変換のサンプリング間隔に相当する。従来の無線受信装置におけるフレーム同期タイミング検出の中には、相関値のピークタイミングであるＴ５を検出し、これをフレーム同期タイミングとするものがある。この場合、フレーム同期タイミングは最先着波の到来時間Ｔ３と必ずしも一致しないこととなる。そこで、本実施の形態では、相互相関値の隣接サンプル間の差分値を用いる。図６の下段における時間Ｔｍの差分値は、Ｔｍ−Ｔ（ｍ−１）となる（ただしｍは２〜１２）。フレーム同期用シンボルが到来すると、相互相関値は急激に上昇するため、その差分値は正の方向に大きくなる。よって正の差分値を閾値判定することにより、最先着波の到来時間（受信タイミング）を検出することができる。すなわち、連続する相関値の差分値により最先着波を容易に類推することができる。最先着波の検出方法には、この他にも図１１に示すように、フレーム同期タイミングの前後数サンプル（例えば同期用既知シンボル１周期のサンプル数―１サンプル）中の相関値のピーク値と、ピーク値前方の相関値の最低値の差より閾値を設定し、ピーク値前方の相互相関値を閾値判定し最先着波の到来時間を検出する方法や、相互相関値自体を閾値判定する方法など、いくつか存在する。またこれらの方法は、相互相関値自体ではなく、隣接する相互相関値を平均化した平均相互相関値を用いることもできる。なお図６においては、最先着波の到来時間はフレーム同期タイミングよりも前方（Ｔ３＜Ｔ５）であるが、受信系統によっては合成信号で獲得したフレーム同期タイミングよりも後方（Ｔ５＜）に最先着波が到来する場合もある。
【００３３】
ここで、受信電力が全体的に小さい場合（例えば相関値の平均値が小さい場合）など、雑音により相関値が埋もれてしまい最先着波を正しく検出できないことがある。そこで、最先着波を正しく検出できない受信系統では、最先着波の検出によるＦＦＴ窓位置検出は行わず、フレーム同期タイミング検出部１７１により検出されたフレーム同期タイミングによりＦＦＴ窓位置を決定した方が、好適な受信特性を得ることができる。この場合、シンボル間干渉が生じ得るが、従来における受信系統ごとにフレーム同期タイミングを決定する手法により最先着波を誤検出してＦＦＴ窓位置を決定した場合よりも、好適な受信特性が得られる。
【００３４】
図５は、フレーム同期タイミングからＦＦＴ窓位置を検出する例を説明する図である。
【００３５】
同図では、受信電力が全体に小さく、最先着波が、前述した図６の基準によって、検出できなかった場合が示される。この場合は、フレーム同期タイミング検出部１７１により検出されたフレーム同期タイミングに基づいてＦＦＴ窓位置を決定する。例えば、検出された共通のフレーム同期タイミングからＧＩフレーム長の半分手前の位置をＦＦＴ窓位置とする。ここではフレーム同期タイミング検出部１７１によりフレーム同期タイミングとして図示の遅延波のデータフレーム先頭が検出され、ＧＩフレームの中央（フレーム同期タイミングからＧＩフレームの半分の長さ手前）がＦＦＴ窓位置とされる。最先着波を検出できなかった全ての受信系統においてこのＦＦＴ窓位置が共通に適用される。図から明らかなように、シンボル間干渉が生じ得るが、最先着波の受信電力が小さいため、最先着波から受ける干渉の度合が小さく、好適な受信特性が得られる。
【００３６】
図１に戻り、ＦＦＴ部１５１〜１５ｎは、それぞれに対応するＡ／Ｄ変換部１２ｋより入力されるベースバンド信号に対して、それぞれに対応するＦＦＴ窓位置検出部１４ｋより入力されるＦＦＴ窓位置からＦＦＴ処理を行う。ＦＦＴ処理後の各ベースバンド信号は、復調部１８１に出力される。
【００３７】
復調部１８１では、各ＦＦＴ部１５１〜１５ｎより入力される各ベースバンド信号に対して、ＳＩＭＯ（Single-Input Multi-Output）システムでは合成処理および復調処理を行い、ＭＩＭＯ（Multi-Input Multi Output）システムではＭＩＭＯ信号処理および復調処理を行い、後段の信号処理部（図示しない）に出力する。
【００３８】
次に、上記構成の受信装置の動作について説明する。なお、以下の説明では、説明を簡明にするために、受信系統の数を２、すなわちｎ＝２とした受信装置構成の場合を例に挙げて説明する。
【００３９】
通信相手から送信されるＯＦＤＭ方式で変調された無線信号がアンテナ１０１、１０２でそれぞれ受信される。
【００４０】
次に対応するＲＦ部１１１、１１２において、異なる帯域からの干渉除去、ベースバンド信号への周波数変換および振幅調整といったＲＦ処理が行われる。
【００４１】
ＲＦ部１１１、１１２から出力されたベースバンド信号は、Ａ／Ｄ変換部１２１、１２２でＡ／Ｄ変換され、対応する相関処理部１３１、１３２およびＦＦＴ部１５１、１５２に出力される。
【００４２】
相関処理部１３１、１３２では、フレーム同期用シンボルに対して相関処理が行われ、各ベースバンド信号の相関値が求められる。それぞれの相関値は対応するＦＦＴ窓位置検出部１４１、１４２および相関値合成部１６１に出力される。
【００４３】
相関値合成部１６１では各相関値が合成される。そしてフレーム同期タイミング検出部１７１において、合成された相関値から各受信系統に共通のフレーム同期タイミングが検出される。
【００４４】
その後ＦＦＴ窓位置検出部１４１、１４２において、フレーム同期タイミングおよびそれぞれに入力された相関値を用いて、各受信系統独立にＦＦＴ窓位置が検出される。各受信系統独立にＦＦＴ窓位置を検出する様子を図７および図８に示す。
【００４５】
図７においては、各受信系統において各々最先着波が検出され、最先着波のＧＩフレームの末尾より少し手前（異なる帯域からの干渉成分を除去するためのフィルタリングによる、隣接シンボル間干渉を受けない程度）がＦＦＴ窓位置として検出されている。
【００４６】
図８においては、アンテナ１０２の受信系統では最先着波が検出され、最先着波のＧＩフレームの末尾より少し手前がＦＦＴ窓位置として検出されている。一方、アンテナ１０１の受信系統では、最先着波が検出できなかったため、共通のフレーム同期タイミングからＦＦＴ窓位置が検出されている。具体的にはアンテナ１０２の受信信号の２番目の到来波におけるデータフレーム先頭がフレーム同期タイミングとして検出され、このＧＩフレームの中央が、アンテナ１０１に対するＦＦＴ窓位置として検出されている。
【００４７】
このようにして検出された各ＦＦＴ窓位置を用いて、ＦＦＴ部１５１、１５２ではＡ／Ｄ変換部１２１、１２２より入力されるベースバンド信号をＦＦＴ変換する。その後、復調部１８１において、ＳＩＭＯ（Single-Input Multi-Output）システムでは合成処理および復調処理、ＭＩＭＯ（Multi-Input Multi Output）システムではＭＩＭＯ信号処理および復調処理を行い、後段の信号処理部に出力する。
【００４８】
以上のように、本実施の形態によれば、少なくとも２つ以上の受信系統で算出した相関値を合成し、合成された相関値に基づき、共通のフレーム同期タイミングを検出する。そして、各受信系統の相関値と、共通のフレーム同期タイミングとから、各受信系統独立にＦＦＴ窓位置を検出する。これにより、受信系統毎に伝搬路を考慮してＦＦＴ窓位置を検出することができ、シンボル間干渉を防ぎ、良好な復調性能を発揮することができる。
【００４９】
例えば、受信装置が高速移動する物体に搭載され、かつ、受信装置に設置されるアンテナ間隔がアンテナ間の相関を小さくするため大きく設定されている場合などにおいて本発明は特に有効である。すなわち、この場合、受信系統ごとに伝送路の状況が大きく異なり、受信系統によっては受信電力が非常に小さくなり得るが、本実施の形態によれば、受信系統毎に伝搬路を考慮してＦＦＴ窓位置を検出することができるため、良好な復調性能を発揮できる。より詳細には、最先着波を検出できる受信系統では最先着波のＧＩフレームの末尾またはこの少し手前をＦＦＴ窓位置とし、最先着波を検出できない受信系統では、共通のフレーム同期タイミングに基づく位置をＦＦＴ窓位置とすることにより、好適な復調性能を得ることができる。
【００５０】
図２は、本発明の第２の実施形態に係わる無線通信装置の構成を示す。なお、以下では、本発明に係わる受信系統についてのみ説明するが、上記無線通信装置は送信系統の構成も備える。
【００５１】
上記無線通信装置は、ｎ個（ｎは少なくとも２以上）の受信系統を備えるものである。各受信系統は、それぞれアンテナ２０ｋ、ＲＦ部２１ｋ、Ａ／Ｄ変換部２２ｋ、相関処理部２３ｋ、ＦＦＴ（Fast Fourier Transform）窓位置検出部２４ｋおよびＦＦＴ部２５ｋを備える（ただし、ｋは１〜ｎ）。そのほかに上記無線通信装置は、大小比較部２６１と、相関値選択部２７１と、フレーム同期タイミング検出部２８１と、復調部２９１とを備える。
【００５２】
アンテナ２０１〜２０ｎは、それぞれ、通信相手から送信されるＯＦＤＭ（Orthogonal Frequency Division Multiplexing）方式で変調された無線信号を受信し、対応するＲＦ部２１ｋに出力する。ここでアンテナ２０１〜２０ｎは、それぞれ異なるフェージングを受けた無線信号を受信することになる。このため、アンテナ２０１〜２０ｎにて受信される無線信号の受信タイミングは必ずしも同時ではない。
【００５３】
ＲＦ部２１１〜２１ｎは、それぞれ対応するアンテナ２０ｋから入力される無線信号をベースバンド信号に周波数変換して対応するＡ／Ｄ変換部２２ｋへ出力する。この際、ＲＦ部２１１〜２１ｎは、対応するＡ／Ｄ変換部２２ｋが持つダイナミックレンジにマッチするようベースバンド信号の振幅を調整し、さらに異なる帯域からの干渉成分を除去した後、Ａ／Ｄ変換部２２ｋへ出力する。
【００５４】
Ａ／Ｄ変換部２２１〜２２ｎでは、対応するＲＦ部２１ｋから出力されたベースバンド信号をＡ／Ｄ変換し、それぞれ対応する相関処理部２３ｋおよびＦＦＴ変換を行うＦＦＴ部２５ｋに出力する。
【００５５】
相関処理部２３１〜２３ｎは、ベースバンド信号（Ａ／Ｄ変換出力）に含まれ一定期間繰り返される同期用既知シンボルのシンボルパターンと、当該無線通信装置が予め保持する既知シンボルパターンとの相関値（相互相関値）を算出する。または、相関処理部２３１〜２３ｎは、受信信号に含まれる同期用既知シンボルと、１シンボル周期分遅延させた同期用既知シンボルとの相関値（自己相関値）を算出する。また、装置によっては相互相関値、自己相関値の双方を算出する。相関処理部２３１〜２３ｎは、算出した相関値を、対応するＦＦＴ窓位置検出部２４ｋと、大小比較部２６１と、相関値選択部２７１とに出力する。
【００５６】
大小比較部２６１は、各相関処理部２３１〜２３ｎで算出された相関値の平均値を相関処理部ごとに求め、各平均値の大小比較を行い、平均値が最大の受信系統を判定する。そしてその判定結果を相関値選択部２７１に出力する。
【００５７】
相関値選択部２７１は各相関処理部２３１〜２３ｎで算出された相関値のうち、大小比較部２６１において決定された受信系統のものを選択し、フレーム同期タイミング検出部２８１に出力する。このように平均値が最大の相関値を選択することによって、フレーム同期タイミング検出処理に用いる相関値のＳＮＲ（Signal to Noise Ratio）を補償する。
【００５８】
フレーム同期タイミング検出部２８１では、相関値選択部２７１から入力される同期用既知シンボルの相関値に基づいて、各受信系統に共通のフレーム同期タイミングを検出する。その具体的な検出方法としては、相互相関値の最大相関値（ピーク）を得るタイミングを検出する方法や、自己相関値が閾値以下となるタイミングからシンボル同期タイミングを検出する方法、あるいはこれらの方法を組み合わせた方法などが用いられる。フレーム同期タイミング検出部２８１によって検出されたフレーム同期タイミングは、ＦＦＴ窓位置検出部２４１〜２４ｎに出力される。
【００５９】
ＦＦＴ窓位置検出部２４１〜２４ｎはそれぞれに対応する相関処理部２３ｋより入力される相関値およびフレーム同期タイミング検出部２８１から入力されるフレーム同期タイミングを用いて、対応するＦＦＴ部２５ｋにおいてＦＦＴ処理を開始するサンプル位置であるＦＦＴ窓位置を各々独立に検出し、対応するＦＦＴ部２５ｋに出力する。ＦＦＴ窓位置検出部２４１〜２４ｎにより行われる具体的な処理内容は第１の実施形態と同様である。
【００６０】
ＦＦＴ部２５１〜２５ｎは、それぞれに対応するＡ／Ｄ変換部２２ｋより入力される各ベースバンド信号に対して、それぞれ対応するＦＦＴ窓位置検出部２４ｋより入力されるＦＦＴ窓位置よりＦＦＴ処理をする。ＦＦＴ処理後の各ベースバンド信号は、復調部２９１に出力される。
【００６１】
復調部２９１では、各ＦＦＴ部２５１〜２５ｎより入力される各ベースバンド信号に対して、ＳＩＭＯ（Single-Input Multi-Output）システムでは合成処理および復調処理、ＭＩＭＯ（Multi-Input Multi Output）システムではＭＩＭＯ信号処理および復調処理を行い、後段の信号処理部（図示しない）に出力する。
【００６２】
次に、上記構成の受信装置の動作について説明する。なお、以下の説明では、説明を簡明にするために、受信系統の数を２、すなわちｎ＝２とした受信装置構成の場合を例に挙げて説明する。
【００６３】
通信相手から送信されるＯＦＤＭ方式で変調された無線信号がアンテナ２０１、２０２でそれぞれ受信される。
【００６４】
次に対応するＲＦ部２１１、２１２において、異なる帯域からの干渉除去、ベースバンド信号への周波数変換および振幅調整といったＲＦ処理が行われる。
【００６５】
ＲＦ部２１１、２１２から出力されたベースバンド信号は、Ａ／Ｄ変換部２２１、２２２でＡ／Ｄ変換され、対応する相関処理部２３１、２３２およびＦＦＴ部２５１、２５２に出力される。
【００６６】
相関処理部２３１、２３２では、フレーム同期用シンボルに対して相関処理が行われ、各ベースバンド信号の相関値が求められる。それぞれの相関値は対応するＦＦＴ窓位置検出部２４１、２４２と、大小比較部２６１と、相関値選択部２７１とに出力される。
【００６７】
大小比較部２６１では各相関値の平均値が大小比較され、相関値の平均値が最大の受信系統が判定される。その判定結果より、相関値選択部２７１において、平均値が最大の相関値が選択される。
【００６８】
そしてフレーム同期タイミング検出部２８１において、選択された相関値を用いて各受信系統に共通のフレーム同期タイミングが検出される。
【００６９】
その後ＦＦＴ窓位置検出部２４１、２４２において、フレーム同期タイミングおよびそれぞれに入力された相関値を用いて、各受信系統独立にＦＦＴ窓位置が検出される。
【００７０】
このようにして検出された各ＦＦＴ窓位置を用いて、ＦＦＴ部２５１、２５２においてＡ／Ｄ変換部２２１、２２２より入力されるベースバンド信号をＦＦＴ変換する。
【００７１】
その後、復調部２９１において、ＳＩＭＯ（Single-Input Multi-Output）システムでは合成処理および復調処理、ＭＩＭＯ（Multi-Input Multi Output）システムではＭＩＭＯ信号処理および復調処理を行い、後段の信号処理部に出力する。
【００７２】
以上のように、本実施の形態によれば、少なくとも２つ以上の受信系統で求められた相関値のうち平均値が最大の相関値を用いてフレーム同期タイミングを検出することにより、雑音の影響でフレーム同期タイミングを大きく誤るようなことを防ぐことができる。
【００７３】
図３は、本発明の第３の実施形態に係わる無線通信装置の構成を示す。なお、以下では、本発明に係わる受信系統についてのみ説明するが、上記無線通信装置は送信系統の構成も備える。
【００７４】
上記無線通信装置は、ｎ個（ｎは少なくとも２以上）の受信系統を備えるものである。各受信系統は、それぞれアンテナ３０ｋ、ＲＦ部３１ｋ、Ａ／Ｄ変換部３２ｋ、相関処理部３３ｋ、ＦＦＴ（Fast Fourier Transform）窓位置検出部３４ｋ、ＦＦＴ部３５ｋおよび実効受信レベル測定部３６ｋを備える（ただし、ｋは１〜ｎ）。そのほかに上記無線通信装置は、大小比較部３７１と、相関値選択部３８１と、フレーム同期タイミング検出部３９１と、復調部３９２とを備える。
【００７５】
アンテナ３０１〜３０ｎは、それぞれ、通信相手から送信されるＯＦＤＭ（Orthogonal Frequency Division Multiplexing）方式で変調された無線信号を受信し、対応するＲＦ部３１ｋに出力する。ここでアンテナ３０１〜３０ｎは、それぞれ異なるフェージングを受けた無線信号を受信することになる。このため、アンテナ３０１〜３０ｎにて受信される無線信号の受信タイミングは必ずしも同時ではない。
【００７６】
ＲＦ部３１１〜３１ｎは、それぞれ対応するアンテナ３０ｋから入力される無線信号をベースバンド信号に周波数変換して対応するＡ／Ｄ変換部３２ｋへ出力する。この際、ＲＦ部３１１〜３１ｎは、対応するＡ／Ｄ変換部３２ｋが持つダイナミックレンジにマッチするようベースバンド信号の振幅を調整し、さらに異なる帯域からの干渉成分を除去した後、Ａ／Ｄ変換部３２ｋへ出力する。加えて、ＲＦ部３１１〜３１ｎは、対応するアンテナ３０ｋで受信した信号の電力を測定し、対応する実効受信レベル測定部３６ｋへ出力する。
【００７７】
Ａ／Ｄ変換部３２１〜３２ｎでは、対応するＲＦ部３１ｋから入力されたベースバンド信号をＡ／Ｄ変換し、それぞれ対応する相関処理部３３ｋおよびＦＦＴ変換を行うＦＦＴ部３５ｋに出力する。
【００７８】
相関処理部３３１〜３３ｎは、ベースバンド信号（Ａ／Ｄ変換出力）に含まれ一定期間繰り返される同期用既知シンボルのシンボルパターンと、当該無線通信装置が予め保持する既知シンボルパターンとの相関値（以降、この相関値を相互相関値とする）を算出する。または受信信号に含まれる同期用既知シンボルと、１シンボル周期分遅延させた同期用既知シンボルとの相関値（以降、この相関値を自己相関値とする）を算出する。また、装置によっては相互相関値、自己相関値の双方を算出する。相関処理部３３１〜３３ｎは、算出した相関値を対応するＦＦＴ窓位置検出部３４ｋおよび相関値選択部３８１に出力する。
【００７９】
実効受信レベル測定部３６１〜３６ｎは、対応するＲＦ部３１ｋが有する最低受信レベルと、対応するＲＦ部３１ｋより入力される受信電力とから、実効受信レベルを測定し大小比較部３７１に出力する。実効受信レベルは受信電力とその受信系統の最低受信レベルとの差である。各受信系統で受信された信号電力が同じであったとしても、最低受信レベルが最も低い受信系統で受信された信号、つまり実効受信レベルが最大の受信信号が最も品質が高い。
【００８０】
大小比較部３７１は実効受信レベル測定部３６１〜３６ｎで算出された実効受信レベルの大小比較を行い、最大実効受信レベルをもつ受信系統を判定する。そしてその判定結果を相関値選択部３８１に出力する。
【００８１】
相関値選択部３８１は各相関処理部３３１〜３３ｎで算出された相関値のうち、大小比較部３７１で決定された受信系統のものを選択し、フレーム同期タイミング検出部３９１に出力する。最大実効受信レベルを持つ受信系統の相関値を選択することによって、フレーム同期タイミング検出処理に用いる相関値のＳＮＲ（Signal to Noise Ratio）を補償する。
【００８２】
フレーム同期タイミング検出部３９１では、相関値選択部３８１から入力される同期用既知シンボルの相関値に基づいて、各受信系統に共通のフレーム同期タイミングを検出する。
【００８３】
その具体的な検出方法としては、相互相関値の最大相関値（ピーク）を得るタイミングを検出する方法や、自己相関値が閾値以下となるタイミングからシンボル同期タイミングを検出する方法、あるいはこれらの方法を組み合わせた方法などが用いられる。
【００８４】
フレーム同期タイミング検出部３９１によって検出されたフレーム同期タイミングは、ＦＦＴ窓位置検出部３４１〜３４ｎに出力される。
【００８５】
ＦＦＴ窓位置検出部３４１〜３４ｎはそれぞれに対応する相関処理部３３ｋより入力される相関値およびフレーム同期タイミング検出部３９１から入力されるフレーム同期タイミングを用いて、対応するＦＦＴ部３５ｋにおいてＦＦＴ処理を開始するサンプル位置であるＦＦＴ窓位置を検出し、対応するＦＦＴ部３５ｋに出力する。ＦＦＴ窓位置検出部３４１〜３４ｎにより行われる具体的な処理内容は第１の実施形態と同様である。
【００８６】
ＦＦＴ部３５１〜３５ｎは、それぞれに対応するＡ／Ｄ変換部３２ｋより入力される各ベースバンド信号に対して、対応するＦＦＴ窓位置検出部３４ｋより入力されるそれぞれのＦＦＴ窓位置よりＦＦＴ処理をする。ＦＦＴ処理後の各ベースバンド信号は、復調部３９２に出力される。
【００８７】
復調部３９２では、各ＦＦＴ部３５１〜３５ｎより入力される各ベースバンド信号に対して、ＳＩＭＯ（Single-Input Multi-Output）システムでは合成処理および復調処理、ＭＩＭＯ（Multi-Input Multi Output）システムではＭＩＭＯ信号処理および復調処理を行い、後段の信号処理部（図示しない）に出力する。
【００８８】
次に、上記構成の受信装置の動作について説明する。なお、以下の説明では、説明を簡明にするために、受信系統の数を２、すなわちｎ＝２とした受信装置構成の場合を例に挙げて説明する。
【００８９】
通信相手から送信されるＯＦＤＭ方式で変調された無線信号がアンテナ３０１、３０２でそれぞれ受信される。
【００９０】
次に対応するＲＦ部３１１、３１２において、異なる帯域からの干渉除去、ベースバンド信号への周波数変換および振幅調整といったＲＦ処理が行われ、Ａ／Ｄ変換部３２１、３２２に出力される。加えてＲＦ部３１１、３１２では、それぞれの受信信号の電力が測定され、測定された受信電力が実効受信レベル測定部３６１、３６２に出力される。
【００９１】
ＲＦ部３１１、３１２から出力されたベースバンド信号は、Ａ／Ｄ変換部３２１、３２２においてＡ／Ｄ変換され、対応する相関処理部３３１、３３２およびＦＦＴ部３５１、３５２に出力される。
【００９２】
相関処理部３３１、３３２では、フレーム同期用シンボルに対して相関処理が行われ、各ベースバンド信号の相関値が求められる。それぞれの相関値は対応するＦＦＴ窓位置検出部３４１、３４２および相関値選択部３８１に出力される。
【００９３】
実効受信レベル測定部３６１、３６２では、対応するＲＦ部３１１、３１２から入力された受信電力より実効受信レベルを測定し、大小比較部３７１に出力する。
【００９４】
大小比較部３７１では各実効受信レベルが大小比較され、最大実効受信レベルを持つ受信系統が判定される。その判定結果より、相関値選択部３８１で最大実効受信レベルを持つ受信系統の相関値が選択される。
【００９５】
そしてフレーム同期タイミング検出部３９１において、選択された受信系統の相関値を用いて各受信系統に共通のフレーム同期タイミングが検出される。
【００９６】
その後ＦＦＴ窓位置検出部３４１、３４２において、フレーム同期タイミングおよびそれぞれの相関値を用いて、各受信系統独立にＦＦＴ窓位置が検出される。
【００９７】
このようにして検出された各ＦＦＴ窓位置を用いて、ＦＦＴ部３５１、３５２においてＡ／Ｄ変換部３２１、３２２より入力されるベースバンド信号をＦＦＴ変換する。
【００９８】
その後、復調部３９２において、ＳＩＭＯ（Single-Input Multi-Output）システムでは合成処理および復調処理を行い、ＭＩＭＯ（Multi-Input Multi Output）システムではＭＩＭＯ信号処理および復調処理を行い、後段の信号処理部に出力する。
【００９９】
以上のように、上記構成の受信装置では、少なくとも２つ以上の受信系統で求められた相関値のうち実効受信レベルが最大の受信信号の相関値を用いてフレーム同期タイミングを検出することにより、受信系統雑音の影響によってフレーム同期タイミングが大きく誤るようなことを防ぐことができる。
【０１００】
上述した第１〜第３の実施形態では、主に複数アンテナを持つＯＦＤＭ無線通信装置について述べたが、本発明はＯＦＤＭだけではなく、複数アンテナを持つシングルキャリア無線通信装置において、特にＦＦＴを用いてＦＤＥ（Frequency Domain Equalizing）を行うような無線通信システムにも有効である。更に、本発明の適用対象は無線通信装置に限られず、本発明は伝送フレームにＧＩフレームを持つような通信システムにおいて、複数受信系統を持ちかつ受信処理にＦＦＴを用いる通信装置であれば適用可能である。
【０１０１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０２】
【図１】本発明に係わる無線通信装置の第１の実施形態の構成を示す回路ブロック図
【図２】本発明に係わる無線通信装置の第２の実施形態の構成を示す回路ブロック図
【図３】本発明に係わる無線通信装置の第３の実施形態の構成を示す回路ブロック図
【図４】最先着波の相関値からＦＦＴ窓位置を検出する例を説明する図
【図５】フレーム同期タイミングからＦＦＴ窓位置を検出する例を説明する図
【図６】最先着波の検出方法を説明するための図
【図７】第１の実施形態において各系統独立にＦＦＴ窓位置を検出する様子を表した図
【図８】第１の実施形態においてアンテナの受信電力が小さい場合のＦＦＴ窓位置検出の様子を表した図
【図９】受信電力が小さい場合のフレーム同期誤り分布を示す図
【図１０】受信電力が大きい場合のフレーム同期誤り分布を示す図
【図１１】相互相関値のピーク値及び最低値から最先着波を検出する方法を説明するための図
【符号の説明】
【０１０３】
１０１〜１０ｎ、２０１〜２０ｎ、３０１〜３０ｎ：アンテナ
１１１〜１１ｎ、２１１〜２１ｎ、３１１〜３１ｎ：ＲＦ部
１２１〜１２ｎ、２２１〜２２ｎ、３２１〜３２ｎ：Ａ／Ｄ変換部
１３１〜１３ｎ、２３１〜２３ｎ、３３１〜３３ｎ：相関処理部
１４１〜１４ｎ、２４１〜２４ｎ、３４１〜３４ｎ：ＦＦＴ窓位置検出部
１５１〜１５ｎ、２５１〜２５ｎ、３５１〜３５ｎ：ＦＦＴ部
１６１：相関値合成部
１７１、２８１、３９１：フレーム同期タイミング検出部
１８１、２９１、３９２：復調部
２６１、３７１：大小比較部
２７１、３８１：相関値選択部
３６１〜３６ｎ：実行受信レベル測定部
【図１】
2007013627.tif 000003
【図２】
2007013627.tif 000004
【図３】
2007013627.tif 000005
【図４】
2007013627.tif 000006
【図５】
2007013627.tif 000007
【図６】
2007013627.tif 000008
【図７】
2007013627.tif 000009
【図８】
2007013627.tif 000010
【図９】
2007013627.tif 000011
【図１０】
2007013627.tif 000012
【図１１】
2007013627.tif 000013